(57)【要約】【課題】インク滴の予定外の位置への着弾及び生産性の低下を抑制しつつ隔壁で囲まれた領域全体にインクが行き届かないという事態の発生を抑制することができるインク滴吐出方法及びカラーフィルタ製造方法を提供する。【解決手段】第１のインク滴群の最終端のインク滴と第２のインク滴群の最先端のインク滴とが接触して繋がる前に、第１のインク滴群の最先端のインク滴が短辺４２ａに接触し、かつ第２のインク滴群の最終端のインク滴が短辺４２ｂに接触するように第１の所定距離、第２の所定距離、及び第３の所定距離を定める。【選択図】図９
2010221144.tif 000002
【特許請求の範囲】
【請求項１】
記録媒体上の隔壁で囲まれた領域に、前記隔壁の第１の部位より第１の所定距離離れた位置からインク滴を１滴ずつ所定方向に向かって複数滴順に吐出することにより、複数のインク滴が連なった第１のインク滴群を形成し、
前記第１のインク滴群の最終端のインク滴から前記所定方向に第２の所定距離離れた位置からインク滴を１滴ずつ前記所定方向に向かって複数滴順に吐出することにより、複数のインク滴が連なりかつ最終端のインク滴が前記第１の部位と対向する第２の部位より第３の所定距離離れた位置に着弾した第２のインク滴群を形成するインク滴吐出方法であって、
前記第１のインク滴群の最終端のインク滴と前記第２のインク滴群の最先端のインク滴とが接触して繋がる前に、前記第１のインク滴群の最先端のインク滴が前記第１の部位に接触し、かつ前記第２のインク滴群の最終端のインク滴が前記第２の部位に接触するように、前記第１の所定距離、前記第２の所定距離、及び前記第３の所定距離を定めたインク滴吐出方法。
【請求項２】
前記領域を略矩形状として、該領域を前記記録媒体上に複数個マトリクス状に配置し、前記領域毎に前記インク滴を複数滴吐出する請求項１記載のインク滴吐出方法。
【請求項３】
前記隔壁を、インクを弾く撥液材で構成した請求項１または請求項２記載のインク滴吐出方法。
【請求項４】
前記隔壁の内側側面を親液性とし、前記隔壁の上面を前記側面よりも撥液傾向とした請求項１または請求項２記載のインク滴吐出方法。
【請求項５】
請求項１〜請求項４の何れか１項に記載のインク滴吐出方法を用い、前記記録媒体を透明基板としたカラーフィルタ製造方法。 
【発明の詳細な説明】
【技術分野】
【０００１】
本発明は、インク滴吐出方法及びカラーフィルタ製造方法に関する。
【背景技術】
【０００２】
カラー液晶ディスプレイや有機ＥＬディスプレイなどで用いられるカラーフィルタを製造する技術として、隔壁によりマトリクス状に配列された複数の枠に区分された透明基板とノズル孔を備えたインクジェットヘッドとを相対的に走査させて、顔料や染料などの色素を含むインクを枠より内側に複数のインク滴としてノズル孔から１滴ずつ順次に一方向に連ねて打滴する技術が知られている。
【０００３】
ところで、枠内に複数のインク滴を１滴ずつ順次に一方向に連ねて打滴しても枠内の縁までインクが濡れ拡がらない場合がある。そこで、特許文献１の技術では、複数のインク滴を１滴ずつ順次に一方向に連ねて形成されるインク滴群の両端にあたるところの打滴量を増やすようにしている。
【先行技術文献】
【特許文献】
【０００４】
【特許文献１】特開２００５−２２１８４８号公報
【発明の概要】
【発明が解決しようとする課題】
【０００５】
しかしながら、特許文献１の技術では、先行着弾したインク滴が拡がった領域に後続のインク滴が着弾すると、インク滴が混合し表面張力により表面積を最小化する力が働き、後に着弾したインク滴が先に着弾したインク滴に引き寄せられる現象（以下、「着弾干渉」ともいう。）の発生を考慮していない。つまり、特許文献１の技術には、着弾干渉が作用して枠内全体にインクが行き届かない場合がある、という問題点があった。
【０００６】
また、ノズル孔からインク滴を吐出すると、気流などの影響を受けてインク滴が飛翔中に進路を変えてしまうことがある。従って、枠の縁近傍で打滴量を増やすという特許文献１の技術には、枠上にインク滴が着弾したり、隣接する枠内にインク滴が着弾したりすることにつながる、という問題点もあった。
【０００７】
また、現在使用されているような一辺が２ｍ以上の大型基板に対してインク滴を吐出し描画する場合、所定の狙いの位置に対して、良くて±１５ｕｍ、通常は±３０ｕｍ程度の着弾誤差が生じる。
【０００８】
更に、打滴量を増やすという特許文献１の技術には、生産性の低下を招いてしまう、という問題点もあった。
【０００９】
本発明は上記問題点を解決するために成されたものであり、インク滴の予定外の位置への着弾及び生産性の低下を抑制しつつ隔壁で囲まれた領域全体にインクが行き届かないという事態の発生を抑制することができるインク滴吐出方法及びカラーフィルタ製造方法を提供することを目的とする。
【課題を解決するための手段】
【００１０】
上記目的を達成するために、請求項１記載のインク滴吐出方法は、記録媒体上の隔壁で囲まれた領域に、前記隔壁の第１の部位より第１の所定距離離れた位置からインク滴を１滴ずつ所定方向に向かって複数滴順に吐出することにより、複数のインク滴が連なった第１のインク滴群を形成し、前記第１のインク滴群の最終端のインク滴から前記所定方向に第２の所定距離離れた位置からインク滴を１滴ずつ前記所定方向に向かって複数滴順に吐出することにより、複数のインク滴が連なりかつ最終端のインク滴が前記第１の部位と対向する第２の部位より第３の所定距離離れた位置に着弾した第２のインク滴群を形成するものであって、前記第１のインク滴群の最終端のインク滴と前記第２のインク滴群の最先端のインク滴とが接触して繋がる前に、前記第１のインク滴群の最先端のインク滴が前記第１の部位に接触し、かつ前記第２のインク滴群の最終端のインク滴が前記第２の部位に接触するように、前記第１の所定距離、前記第２の所定距離、及び前記第３の所定距離を定めたものである。
【００１１】
請求項１記載のインク滴吐出方法によれば、記録媒体上の隔壁で囲まれた領域に、前記隔壁の第１の部位より第１の所定距離離れた位置からインク滴を１滴ずつ所定方向に向かって複数滴順に吐出することにより、複数のインク滴が連なった第１のインク滴群が形成され、前記第１のインク滴群の最終端のインク滴から前記所定方向に第２の所定距離離れた位置からインク滴を１滴ずつ前記所定方向に向かって複数滴順に吐出することにより、複数のインク滴が連なりかつ最終端のインク滴が前記第１の部位と対向する第２の部位より第３の所定距離離れた位置に着弾した第２のインク滴群が形成される。
【００１２】
そして、本発明では、前記第１のインク滴群の最終端のインク滴と前記第２のインク滴群の最先端のインク滴とが接触して繋がる前に、前記第１のインク滴群の最先端のインク滴が前記第１の部位に接触し、かつ前記第２のインク滴群の最終端のインク滴が前記第２の部位に接触するように、前記第１の所定距離、前記第２の所定距離、及び前記第３の所定距離が定められる。
【００１３】
このように、本発明によれば、隔壁の第１の部位から第１のインク滴群の最先端のインク滴までの第１の所定距離、第１のインク滴群の最終端のインク滴から第２のインク滴群の最先端のインク滴までの第２の所定距離、及び隔壁の第２の部位から第２のインク滴群の最終端のインク滴までの第３の所定距離を、第１のインク滴群の最終端のインク滴と前記第２のインク滴群の最先端のインク滴とが接触して繋がる前に、第１のインク滴群の最先端のインク滴が前記第１の部位に接触し、かつ第２のインク滴群の最終端のインク滴が第２の部位に接触するように定めたので、インク滴の予定外の位置への着弾及び生産性の低下を抑制しつつ隔壁で囲まれた領域全体にインクが行き届かないという事態の発生を抑制することができる。
【００１４】
なお、請求項１に記載のインク滴吐出方法は、請求項２記載の発明のように、前記領域を略矩形状として、該領域を前記記録媒体上に複数個マトリクス状に配置し、前記領域毎に前記インク滴を複数滴吐出するものとしてもよい。これにより、記録媒体上の各領域のインク分布を均一化することができる。
【００１５】
また、請求項１または請求項２記載のインク滴吐出方法は、請求項３記載の発明のように、前記隔壁を、インクを弾く撥液材で構成したものとしてもよい。これにより、インクが隔壁を乗り越えて領域外へ流出することを抑制することができる。
【００１６】
また、請求項１または請求項２記載のインク滴吐出方法は、請求項４記載の発明のように、前記隔壁の内側側面を親液性とし、前記隔壁の上面を前記側面よりも撥液傾向としたものとしてもよい。これにより、側壁より内側の領域にインクを留めておくことができる。
【００１７】
一方、上記目的を達成するために、請求項５のカラーフィルタ製造方法は、請求項１〜請求項４の何れか１項に記載のインク滴吐出方法を用い、前記記録媒体を透明基板としたものである。
【００１８】
従って、本発明のカラーフィルタ製造方法によれば、請求項１〜請求項４の何れか１項に記載の発明と同様に作用するので、請求項１〜請求項４の何れか１項に記載の発明と同様に、インク滴の予定外の位置への着弾及び生産性の低下を抑制しつつ隔壁で囲まれた領域全体にインクが行き届かないという事態の発生を抑制することができる。
【発明の効果】
【００１９】
本発明によれば、インク滴の予定外の位置への着弾及び生産性の低下を抑制しつつ隔壁で囲まれた領域全体にインクが行き届かないという事態の発生を抑制することができる、という効果が得られる。
【図面の簡単な説明】
【００２０】
【図１】実施形態に係るインクジェット記録装置の要部構成を示す構成図である。
【図２】実施形態に係るインクジェット記録装置における１つの液滴吐出素子の立体的構成を示す断面図である。
【図３】実施形態に係る透明基板上のインク滴が打滴される側の構成を示す図である。
【図４】実施形態に係るインクジェット記録装置の電気系の要部構成を示すブロック図である。
【図５】打滴領域にインク滴を打滴する方法の一例を示す模式図であり、（ａ）は、打滴領域に打滴された複数のインク滴の態様を示す図であり、（ｂ）は、打滴領域にインクが濡れ拡がった態様を示す図である。
【図６】打滴領域にインク滴を打滴する方法の一例を示す模式図であり、（ａ）は、打滴領域に打滴された複数のインク滴の態様を示す図であり、（ｂ）は、打滴領域にインクが濡れ拡がった態様を示す図である。
【図７】打滴領域にインク滴を打滴する方法の一例を示す模式図であり、（ａ）は、打滴領域に打滴された複数のインク滴の態様を示す図であり、（ｂ）は、打滴領域にインクが濡れ拡がった態様を示す図である。
【図８】打滴領域にインク滴を打滴する方法の一例を示す模式図であり、（ａ）は、打滴領域に打滴された複数のインク滴の態様を示す図であり、（ｂ）は、打滴領域にインクが濡れ拡がった態様を示す図である。
【図９】打滴領域にインク滴を打滴する方法の一例を示す模式図であり、（ａ）は、打滴領域に打滴された複数のインク滴の態様を示す図であり、（ｂ）は、打滴領域にインクが濡れ拡がった態様を示す図である。
【図１０】実施形態に係るインク滴吐出制御処理プログラムの処理の流れを示すフローチャートである。
【図１１】インク滴の打滴形態の他の例を示す図である。
【発明を実施するための形態】
【００２１】
以下、図面を参照して本発明を実施するための最良の形態について詳細に説明する。なお、本実施形態では、インクジェット記録装置を用い、インクジェット記録装置から本発明のインク滴吐出方法によってインクを吐出してカラーフィルタを製造する場合を例に挙げて説明する。
【００２２】
図１は、本実施形態に係るインクジェット記録装置１０の要部構成を示す構成図である。同図に示すように、インクジェット記録装置１０は、レッド（Ｒ）、グリーン（Ｇ）、ブルー（Ｂ）の各インクに対応して設けられ、対応する色のインク滴を吐出する複数のインクジェット記録ヘッド（以下、ヘッドという。）１２と、記録媒体としての透明基板１４が載置される載置台１６と、ヘッド１２に接続され、ヘッド１２を同図の矢印方向（以下、「走査方向」ともいう。）に沿って移動させるための動力を発生するモータ１８と、を含んで構成されている。
【００２３】
ヘッド１２は、インクを吐出する吐出口であるノズル１２Ａと、ノズル１２Ａに対応する圧力室等からなるインク室ユニット（液滴吐出素子）２０と、を備えている。また、載置台１６は、カラーフィルタの基礎となる透明基板１４を基準位置に固定する機構（図示省略）を備えている。なお、同図では、錯綜を回避するためにヘッド１２を１つだけ図示している。
【００２４】
図２は、１つの液滴吐出素子（１つのノズル１２Ａに対応したインク室ユニット）２０の立体的構成を示す断面図である。同図に示すように、ノズル１２Ａに対応して設けられている圧力室２２は、その平面形状が略正方形となっており、対角線上の両隅部の一方にノズル１２Ａへの流出口が設けられ、他方に供給インクの流入口（供給口）２４が設けられている。なお、圧力室２２の形状は、上記以外にも、平面形状が四角形（菱形、長方形など）、五角形、六角形その他の多角形、円形、楕円形など、多様な形態があり得る。
【００２５】
圧力室２２は供給口２４を介して流路２６と連通されている。流路２６はインク供給源としてのインクタンク（図示省略）と連通しており、インクタンクから供給されるインクは流路２６を介して圧力室２２に供給される。
【００２６】
圧力室２２の一部の面（図２において天面）を構成している加圧板（共通電極と兼用される振動板）２８には個別電極３０を備えたアクチュエータ３２が接合されている。個別電極３０と共通電極間に駆動電圧を印加することによってアクチュエータ３２が変形して圧力室２２の容積が変化し、これに伴う圧力変化によりノズル１２Ａからインクが吐出される。なお、アクチュエータ３２には、チタン酸ジルコン酸鉛やチタン酸バリウムなどの圧電体を用いた圧電素子が好適に用いられる。インク吐出後、アクチュエータ３２の変位が元に戻る際に、流路２６から供給口２４を通って新しいインクが圧力室２２に再充填される。
【００２７】
従って、本実施形態に係るインクジェット記録装置１０では、画像情報から生成されるドット配置データに応じてノズル１２Ａに対応したアクチュエータ３２の駆動を制御することにより、ノズル１２Ａからインク滴を吐出させることができる。
【００２８】
図３は、透明基板１４上のインク滴が打滴される側の構成を示す図である。同図に示すように、透明基板１４上は、隔壁４０で囲まれて凹状に形成された複数の平面視長方形状の打滴領域４２に区分されており、当該打滴領域４２は透明基板１４上に複数個マトリクス状に配置されている。打滴領域４２は、インクが充填されることにより最終的にカラーフィルタの画素を構成するものであり、走査方向が長辺方向とされ、走査方向と直交する方向が短辺方向とされている。なお、本実施形態では、透明基板１４として、透明ガラス基板を適用しているが、これに限らず、アクリルガラス、プラスチック基板、プラスチックフィルムも適用可能である。また、本実施形態では、隔壁４０の厚みを２μｍ、打滴領域４２の短辺方向の長さを３２０μｍ、打滴領域４２の短辺方向の長さを９０μｍとしているが、これらの値は適宜変更可能である。また、本実施形態では、隔壁４０を透光性を有しない樹脂（一例として黒色の樹脂）で構成している。このように、隔壁４０は、インクを弾く撥液材で構成された透光性を有しないものであることが好ましい。
【００２９】
図４は、本実施形態に係るインクジェット記録装置１０の電気系の要部構成を示すブロック図である。同図に示すように、インクジェット記録装置１０は、ヘッド１２、モータ１８、通信インタフェース５０、システムコントローラ５２、画像メモリ５４、ＲＯＭ（Read Only Memory）５６、モータドライバ５８及びプリント制御部６０を含んで構成されている。
【００３０】
システムコントローラ５２には、通信インタフェース５０、画像メモリ５４、ＲＯＭ５６、モータドライバ５８及びプリント制御部６０が接続されている。
【００３１】
通信インタフェース５０は、ユーザがインクジェット記録装置１０に対して描画の指示等を行うため等に用いられるホスト装置６２とのインタフェース部である。通信インタフェース５０にはＵＳＢ（Universal Serial Bus）、ＩＥＥＥ１３９４、イーサネット（登録商標）、無線ネットワークなどのシリアルインタフェースやセントロニクスなどのパラレルインタフェースを適用することができる。この部分には、通信を高速化するためのバッファメモリ（図示省略）を搭載しても良い。
【００３２】
ホスト装置６２から送出された、透明基板１４に形成すべき画像を示す画像情報は通信インタフェース５０を介してインクジェット記録装置１０に取り込まれ、一旦画像メモリ５４に記憶される。画像メモリ５４は、通信インタフェース５０を介して入力された画像情報を記憶する記憶手段であり、システムコントローラ５２を通じてデータの読み書きが行われる。画像メモリ５４は、半導体素子からなるメモリに限らず、ハードディスクなど磁気媒体を用いてもよい。
【００３３】
システムコントローラ５２は、ＣＰＵ（中央演算処理装置）及びその周辺回路等から構成され、所定のプログラムに従ってインクジェット記録装置１０の全体を制御する制御装置として機能するとともに、各種演算を行う演算装置として機能する。すなわち、システムコントローラ５２は、通信インタフェース５０、画像メモリ５４、ＲＯＭ５６、モータドライバ５８、プリント制御部６０等の各部を制御し、ホスト装置６２との間の通信制御、画像メモリ５４及びＲＯＭ５６の読み書き制御等を行うと共に、モータ１８の駆動を制御する制御信号を生成する。なお、プリント制御部６０に対しては、制御信号の他に、画像メモリ５４に記憶された画像情報を送信する。
【００３４】
また、ＲＯＭ５６には、システムコントローラ５２が実行するプログラム及び制御に必要な各種データなどが格納されている。ＲＯＭ５６は、書換不能な記憶手段であってもよいが、各種のデータを必要に応じて更新する場合は、ＥＥＰＲＯＭのような書換可能な記憶手段を用いることが好ましい。
【００３５】
画像メモリ５４は、画像情報の一時記憶領域として利用されるとともに、プログラムの展開領域及びシステムコントローラ５２の演算作業領域としても利用される。
【００３６】
モータドライバ５８は、システムコントローラ５２からの指示に従ってモータ１８を駆動するドライバ（駆動回路）である。プリント制御部６０は、システムコントローラ５２の制御に従い、システムコントローラ５２から送信された画像情報から吐出制御用の信号を生成するための各種加工、補正などの処理を行う信号処理手段として機能するとともに、生成したインク吐出データに基づいてヘッド１２の吐出駆動を制御する。
【００３７】
ところで、本実施形態に係るインクジェット記録装置１０では、カラーフィルタの製造開始の指示が入力されると、カラーフィルタの画素を形成するために、透明基板１４上の各打滴領域４２に対して、各打滴領域４２がインクで満たされるように複数のインク滴を１滴ずつ順次に走査方向に連ねて着弾させるように制御を行う。なお、本実施形態に係るインクジェット記録装置１０では、各打滴領域４２に着弾されるインク滴の数を３０滴、インク滴のサイズを２０〜３０μｍとしている。
【００３８】
本発明者らは、本実施形態に係るインクジェット記録装置１０により、１４０個の打滴領域４２の各々に対して、一例として図５（ａ）に示すように、最先端のインク滴の中心から当該最先端のインク滴に最も近い打滴領域４２の短辺４２ａ（隔壁４０の一方の短辺に相当。）までの距離及び最後端のインク滴の中心から当該最後端のインク滴に最も近い打滴領域４２の短辺４２ｂ（隔壁４０の他方の短辺に相当。）までの距離が共に１５μｍとなり、かつドットピッチが１０μｍとなるように、３０滴のインク滴を１滴ずつ順次に走査方向に短辺４２ａの略中央部から短辺４２ｂの略中央部にかけて連ねて着弾させた。この結果、１４０個の打滴領域４２のうちの約８０％の打滴領域４２に、一例として図５（ｂ）に示すように、打滴領域４２の同図正面視右下隅に空白領域が生じることを知見した。この空白領域は、着弾干渉によりインク滴が走査方向と反対側の方向に偏ったために生じたものと考えられる。
【００３９】
この結果を受けて、本発明者らは、本実施形態に係るインクジェット記録装置１０により、１４０個の打滴領域４２の各々に対して、一例として図６（ａ）に示すように、短辺４２ａの略中央部より５０μｍはなれた位置からドットピッチが５μｍとなるようにインク滴を１滴ずつ走査方向に向かって１５滴順に吐出することにより、これらのインク滴が連なった第１のインク滴群を形成し、当該第１のインク滴群の最終端のインク滴から走査方向に８０μｍ離れた位置からドットピッチが５μｍとなるようにインク滴を１滴ずつ走査方向に向かって１５滴順に吐出することにより、これらのインク滴が連なりかつ最終端のインク滴が短辺４２ｂより５０μｍ離れた位置に着弾した第２のインク滴群を形成した。この結果、１４０個の打滴領域４２のうちのほぼ全てに、一例として図６（ｂ）に示すように、打滴領域４２の同図正面視右端部（短辺４２ｂ近傍）に空白領域が生じることを知見した。この空白領域は、第２のインク滴群の最終端のインク滴が隔壁４０に接触するより先に第１のインク滴群の最終端のインク滴と第２のインク滴群の最先端のインク滴とが接触して繋がることによって生じる着弾干渉により第２のインク滴群が第１のインク滴群に引き寄せられたために生じたものと考えられる。
【００４０】
この結果を受けて、本発明者らは、本実施形態に係るインクジェット記録装置１０により、１４０個の打滴領域４２の各々に対して、一例として図７（ａ）に示すように、短辺４２ａの略中央部より３０μｍはなれた位置からドットピッチが５μｍとなるようにインク滴を１滴ずつ走査方向に向かって１５滴順に吐出することにより、これらのインク滴が連なった第１のインク滴群を形成し、当該第１のインク滴群の最終端のインク滴から走査方向に１２０μｍ離れた位置からドットピッチが５μｍとなるようにインク滴を１滴ずつ走査方向に向かって１５滴順に吐出することにより、これらのインク滴が連なりかつ最終端のインク滴が短辺４２ｂより３０μｍ離れた位置に着弾した第２のインク滴群を形成した。この結果、１４０個の打滴領域４２のうちの約８０％に、一例として図７（ｂ）に示すように、打滴領域４２の同図正面視右上隅及び右下隅に空白領域が生じることを知見した。この空白領域は、図６（ｂ）に示す空白領域と比べて小さくなっているが、これは、図７（ａ）に示す状態が図６（ａ）に示す状態と比較して、第１のインク滴群と第２のインク滴群との距離が拡がり、かつ第２のインク滴群の最終端のインク滴から隔壁４０までの距離が短くなったために着弾干渉により走査方向と反対側の方向に引き寄せられる量が減ったためと考えられる。
【００４１】
この結果を受けて、本発明者らは、本実施形態に係るインクジェット記録装置１０により、１４０個の打滴領域４２の各々に対して、一例として図８（ａ）に示すように、短辺４２ａの略中央部より２０μｍはなれた位置からドットピッチが５μｍとなるようにインク滴を１滴ずつ走査方向に向かって１５滴順に吐出することにより、これらのインク滴が連なった第１のインク滴群を形成し、当該第１のインク滴群の最終端のインク滴から走査方向に１４０μｍ離れた位置からドットピッチが５μｍとなるようにインク滴を１滴ずつ走査方向に向かって１５滴順に吐出することにより、これらのインク滴が連なりかつ最終端のインク滴が短辺４２ｂより２０μｍ離れた位置に着弾した第２のインク滴群を形成した。この結果、１４０個の打滴領域４２のうちの約５０％に、一例として図８（ｂ）に示すように、打滴領域４２の長辺４２ｃ（隔壁４０の一方の長辺に相当。）の略中央部から長辺４２ｄ（隔壁４０の他方の長辺に相当。）の略中央部にかけて空白領域が生じることを知見した。図８（ａ）に示すようにインク滴を打滴領域４２に着弾させると、第１のインク滴群の最終端のインク滴と第２のインク滴群の最先端のインク滴とが接触して繋がる前に第２のインク滴群の最終端のインク滴が隔壁４０に接触するため、図５（ｂ）、図６（ｂ）、及び図７（ｂ）に示すように短辺４２ｂ付近の空白領域はなくなるが、その一方で、短辺４２ｂ側に引き寄せ過ぎるため、第１のインク滴群の最終端のインク滴と第２のインク滴群の最先端のインク滴とが接触できなくなり、これが原因で図８（ｂ）に示すような空白領域が生じたと考えられる。
【００４２】
この結果を受けて、本発明者らは、本実施形態に係るインクジェット記録装置１０により、１４０個の打滴領域４２の各々に対して、一例として図９（ａ）に示すように、短辺４２ａの略中央部より３０μｍはなれた位置からドットピッチが５μｍとなるようにインク滴を１滴ずつ走査方向に向かって１５滴順に吐出することにより、これらのインク滴が連なった第１のインク滴群を形成し、当該第１のインク滴群の最終端のインク滴から走査方向に１３０μｍ離れた位置からドットピッチが５μｍとなるようにインク滴を１滴ずつ走査方向に向かって１５滴順に吐出することにより、これらのインク滴が連なりかつ最終端のインク滴が短辺４２ｂより２０μｍ離れた位置に着弾した第２のインク滴群を形成した。この結果、打滴領域４２の全体にインクが行き届き、打滴領域４２に空白領域が生じないことを知見した。打滴領域４２に空白領域が生じなかったのは、第１のインク滴群の最先端のインク滴が短辺４２ａに、第２のインク滴群の最終端のインク滴が短辺４２ｂに各々接触した後に、第１のインク滴群の最終端のインク滴と第２のインク滴群の最先端のインク滴とが接触して繋がったためと考えられる。
【００４３】
この結果を利用して、本実施形態に係るインクジェット記録装置１０では、カラーフィルタの製造開始の指示が入力されると、打滴領域４２全体にインクが行き届かないという事態の発生を抑制するためのインク滴吐出制御処理が実行される。
【００４４】
以下、図１０を参照して上記インク滴吐出制御処理が実行される際のインクジェット記録装置１０の作用を説明する。なお、図１０は、その際にシステムコントローラ５２によって実行されるインク滴吐出制御処理プログラムの処理の流れを示すフローチャートであり、当該プログラムはＲＯＭ５６の所定領域に予め記憶されている。なお、ここでは、錯綜を回避するために、上記インク滴吐出制御処理が１つの打滴領域４２に対して実行される場合について説明する。
【００４５】
同図のステップ１００では、モータ１８を駆動させることによりヘッド１２を走査方向に移動させ、次のステップ１０２では、短辺４２ａの略中央部より第１の所定距離離れた位置にノズル１２Ａが到達するまで待機した後、ステップ１０４へ移行し、ヘッド１２に対して、走査方向に所定のドットピッチ（ここでは、５μｍ）でインク滴を１滴ずつ順次に吐出させるようにインク滴の吐出を開始させる制御を行う。
【００４６】
次のステップ１０６では、ノズル１２Ａから所定数（ここでは、１５滴）のインク滴が吐出されるまで待機した後、ステップ１０８へ移行し、インク滴の吐出を停止するようにヘッド１２を制御する。これに応じて、ヘッド１２はインク滴の吐出を停止する。これにより、一例として図９（ａ）に示すように、複数のインク滴が連なった第１のインク滴群が形成される。
【００４７】
次のステップ１１０では、第１のインク滴群の最終端のインク滴から走査方向に第２の所定距離離れた位置にノズル１２Ａが到達するまで待機した後、ステップ１１２へ移行し、ヘッド１２に対して、所定のドットピッチ（ここでは、５μｍ）でインク滴を１滴ずつ順次に吐出させるようにインク滴の吐出を開始させる制御を行う。
【００４８】
次のステップ１１４では、ノズル１２Ａから所定数（ここでは、１５滴）のインク滴が吐出されるまで待機した後、ステップ１１６へ移行し、インク滴の吐出を停止するようにヘッド１２を制御し、本インク滴吐出制御処理プログラムを終了する。上記ステップ１１６の処理に応じて、ヘッド１２はインク滴の吐出を停止する。これにより、一例として図９（ａ）に示すように、複数のインク滴が連なりかつ最終端のインク滴が短辺４２ｂより第３の所定距離離れた位置に着弾した第２のインク滴群が形成される。
【００４９】
なお、本実施形態に係るインクジェット記録装置１０では、上記第１の所定距離、上記第２の所定距離、及び上記第３の所定距離として、一例として図９（ａ）に示すように、第１のインク滴群の最終端のインク滴と第２のインク滴群の最先端のインク滴とが接触して繋がる前に、第１のインク滴群の最先端のインク滴が短辺４２ａに接触し、かつ第２のインク滴群の最終端のインク滴が短辺４２ｂに接触する距離として、インクジェット記録装置１０の実機による実験によって予め得られた値を適用しているが、これに限らず、インクジェット記録装置１０の設計仕様に基づくコンピュータ・シミュレーション等によって予め得られた値を適用してもよい。
【００５０】
以上詳細に説明したように、本実施形態によれば、透明基板１４上の隔壁４０で囲まれた領域に、ヘッド１２のノズル１２Ａにより、短辺４２ａより第１の所定距離離れた位置からインク滴を１滴ずつ所定方向に向かって複数滴順に吐出することにより、複数のインク滴が連なった第１のインク滴群を形成し、ヘッド１２のノズル１２Ａにより、第１のインク滴群の最終端のインク滴から走査方向に第２の所定距離離れた位置からインク滴を１滴ずつ走査方向に向かって複数滴順に吐出することにより複数のインク滴が連なりかつ最終端のインク滴が短辺４２ｂより第３の所定距離離れた位置に着弾した第２のインク滴群を形成し、システムコントローラ５２により、第１のインク滴群の最終端のインク滴と第２のインク滴群の最先端のインク滴とが接触して繋がる前に、第１のインク滴群の最先端のインク滴が短辺４２ａに接触し、かつ第２のインク滴群の最終端のインク滴が短辺４２ｂに接触するように定められた第１の所定距離、第２の所定距離、及び第３の所定距離となるように透明基板１４に対してヘッド１２を相対移動させながらヘッド１２からインク滴を吐出させる制御を行っているので、インク滴の予定外の位置への着弾及び生産性の低下を抑制しつつ打滴領域４２全体にインクが行き届かないという事態の発生を抑制することができる。
【００５１】
また、本実施形態によれば、打滴領域４２を長方形状として、打滴領域４２を透明基板１４上に複数個マトリクス状に配置し、打滴領域４２毎にインク滴を複数滴吐出しているので、インク分布が均一化されたカラーフィルタを製造することができる。
【００５２】
また、本実施形態によれば、隔壁４０を、インクを弾く撥液材（ここでは、樹脂）で構成したので、打滴領域４２にインクを留めておくことができる。
【００５３】
上記実施形態では、１つのノズル１２Ａで打滴領域４２に複数滴のインクを吐出する場合の形態例を挙げて説明したが、本発明はこれに限定されるものではなく、一例として図１１に示すように、各々インク滴を吐出する複数のノズル７０Ａを有するラインヘッド７０を走査方向に対して直交しない一定の角度θだけ傾けて打滴領域４２に対してワンパス走査を２回行うことにより第１のインク滴群及び第２のインク滴群を形成する形態としてもよい。
【００５４】
また、上記実施形態では、透明基板１４に対してヘッド１２を相対移動させながらヘッド１２からインク滴を吐出させる場合の形態例を挙げて説明したが、本発明はこれに限定されるものではなく、例えば、ヘッド１２に対して透明基板１４を相対移動させながらヘッド１２からインク滴を吐出させてもよいし、ヘッド１２及び透明基板１４を共に移動させながらヘッド１２からインク滴を吐出させてもよい。このように、ヘッド１２及び透明基板１４の少なくとも一方を相対移動させながらヘッド１２からインク滴を吐出させればよい。
【００５５】
また、上記実施形態では、隔壁４０を、インクを弾く撥液材で構成したが、隔壁４０の内側側面を親液材で構成し、隔壁４０の上面を当該側面よりも撥液傾向にある撥液材で構成してもよい。これにより、打滴領域４２にインクを留めておくことができる。この場合、隔壁４０の側面を構成する親液材としては、インク滴が側壁４０の側面に接触したときの接触角が約５度となるものを採用し、隔壁４０の上面を構成する撥液材としては、インク滴が隔壁４０の上面に接触したときの接触角が４０度以上となるものを採用することが好ましい。
【符号の説明】
【００５６】
１０  インクジェット記録装置
１２  ヘッド
１４  透明基板（記録媒体）
４０  隔壁
４２ａ  短辺（第１の部位）
４２ｂ  短辺（第２の部位）
４２  打滴領域（領域）
５２  システムコントローラ
【図１】
2010221144.tif 000003
【図２】
2010221144.tif 000004
【図３】
2010221144.tif 000005
【図４】
2010221144.tif 000006
【図５】
2010221144.tif 000007
【図６】
2010221144.tif 000008
【図７】
2010221144.tif 000009
【図８】
2010221144.tif 000010
【図９】
2010221144.tif 000011
【図１０】
2010221144.tif 000012
【図１１】
2010221144.tif 000013